(57)【特許請求の範囲】
【請求項１】
建物の基礎部に水平状態で配置される部材断面Ｈ形のＨ型フレームの部材断面方向の一端側に配設されるフレームカバーパネル取付構造であって、
前記Ｈ型フレームの部材断面方向の上側フランジに嵌め込み固定され、上側フランジの一端の近傍において上方又は下方に突出する上側突片を有する第１部材と、
前記Ｈ型フレームの部材断面方向の下側フランジに嵌め込み固定され、下側フランジの一端の近傍において上方に突出する下側突片を有する第２部材と、
前記フレームカバーパネルの上端と下端に嵌合保持され、前記上側突片及び下側突片にそれぞれ係合する一対の鉤形の係合片を有する第３部材と、を備え、
前記一対の鉤形の係合片を前記上側突片及び下側突片に差し込んで係合させることによって、前記Ｈ型フレームにフレームカバーパネルを取付けるフレームカバーパネル取付構造。
【請求項２】
前記第１部材の一端には前記上側突片が、他端には前記上側フランジの他端に嵌り込む上側嵌合部が設けられる請求項１に記載のフレームカバーパネル取付構造。
【請求項３】
前記第２部材の一端には前記下側突片と前記下側フランジの一端に嵌り込む下側嵌合部とが設けられる請求項１に記載のフレームカバーパネル取付構造。
【請求項４】
前記第３部材には、前記フレームカバーパネルの上端と下端が嵌まり込む一対の係合溝が設けられる請求項１に記載のフレームカバーパネル取付構造。
【発明の詳細な説明】
【技術分野】
【０００１】
本発明は、Ｈ型フレームの一端側をカバーするフレームカバーパネルの取付構造に関する。
【背景技術】
【０００２】
一般に、建物などの基礎工事では地面に敷き詰めて突き固めた砂利の上に捨コンと呼ばれるコンクリートを被せたのち、コンクリート基礎の形に合わせてパネル材で型枠を設置し、この型枠内にコンクリートを流し込み数日間の養生期間を置いてから、型枠を外してコンクリート基礎を仕上げる工事が行われる。
【０００３】
しかしながら、上記のようにコンクリート基礎の形に合わせて型枠を設置する基礎工事では、型枠の設置及び解体作業に手間が掛かり、工期が延びてしまうという問題があった。
【０００４】
そこで従来にあっては、基礎工事で一旦設置した型枠を解体しない工法として、デッキプレートを型枠として利用した工法が知られている(特許文献１参照)。しかしながら、この工法では、型枠として施工したデッキプレートに鉄筋とアンカーボルトとを溶接する作業が必要となるため、これら溶接作業に手間が掛かって工期の短縮にはつながらないといった問題があった。
【先行技術文献】
【特許文献】
【０００５】
【特許文献１】特開２０１３−１８９８４１号公報
【発明の概要】
【発明が解決しようとする課題】
【０００６】
そこで、本発明が解決しようとする課題は、上記従来の型枠による基礎工事では型枠の設置や解体などに手間が掛かるため、工期の短縮が図れないことである。
【課題を解決するための手段】
【０００７】
上記課題を解決するため、本発明に係るフレームカバーパネル取付構造は、Ｈ型フレームの上側フランジの一端側で上方又は下方に突出する上側突片と、前記Ｈ型フレームの下側フランジの一端側で上方に突出する下側突片と、を備え、前記上側突片及び下側突片に直接的又は間接的に係合するフレームカバーパネルを前記Ｈ型フレームの一端側に配設するものである。
【０００８】
また、本発明の一実施形態では、前記上側突片はＨ型フレームの上側フランジに取付けられる第１部材に設けられ、第１部材の一端には前記上側突片が、他端には前記上側フランジの他端に嵌り込む上側嵌合部が設けられる。
【０００９】
また、本発明の一実施形態では、前記下側突片はＨ型フレームの下側フランジに取付けられる第２部材に設けられ、第２部材の一端には前記下側突片と前記下側フランジの一端に嵌り込む下側嵌合部とが設けられる。
【００１０】
さらに、本発明の一実施形態では、前記上側突片及び下側突片にそれぞれ係合する一対の係合突片を有する第３部材を備え、この第３部材の両端に設けられた一対の係合溝に前記フレームカバーパネルの上端及び下端がそれぞれ嵌り込む。
【発明の効果】
【００１１】
本発明に係るフレームカバーパネル取付構造によれば、Ｈ型フレームにフレームカバーパネルを型枠パネルとして取付けることができ、このフレームカバーパネルを取り外すことなくそのまま基礎部の外壁として利用することができるので、従来のような型枠の設置作業、解体作業、溶接作業などが不要となって基礎工事が簡略化され、工期の短縮を図ることができる。
【図面の簡単な説明】
【００１２】
【図１】本発明のフレームカバーパネル取付構造の第１実施形態を示す分解斜視図である。
【図２】Ｈ型フレームにフレームカバーパネルを取付けた状態を示す斜視図である。
【図３】Ｈ型フレームに第１部材と第２部材を取付ける工程を示す説明図である。
【図４】Ｈ型フレームに第１部材と第２部材を取付けた状態を示す説明図である。
【図５】第１部材と第２部材に第３部材を取付ける工程を示す説明図である。
【図６】第１部材と第２部材に第３部材を取付けた状態を示す説明図である。
【図７】第３部材にフレームカバーパネルを取付ける工程を示す説明図である。
【図８】第３部材にフレームカバーパネルを取付けた状態を示す説明図である。
【図９】本発明の第２実施形態において、第３部材を取付ける工程を示す説明図である。
【図１０】本発明の第２実施形態において、第３部材にフレームカバーパネルを取付けた状態を示す説明図である。
【図１１】本発明の第１実施形態に係るフレームカバーパネル取付構造を利用した基礎工事の一例を示す説明図である。
【図１２】本発明の他の実施形態に係るフレームカバーパネル取付構造を利用した基礎工事の一例を示す説明図である。
【発明を実施するための形態】
【００１３】
以下、本発明に係るフレームカバーパネル取付構造の実施形態を添付図面に基づいて詳細に説明する。図１及び図２には本発明の第１実施形態に係るフレームカバーパネル取付構造が示されている。このフレームカバーパネル取付構造は、水平方向に長く延びるＨ型フレーム１の一端側に配設されるフレームカバーパネル７を取付けるもので、Ｈ型フレーム１の上側フランジ２に取付けられる第１部材４と、Ｈ型フレーム１の下側フランジ３に取付けられる第２部材５と、これら第１部材４及び第２部材５に取付けられ、前記上側フランジ２と前記下側フランジ３との間に掛け渡される第３部材６と、この第３部材６に保持されるフレームカバーパネル７とを備えている。なお、前記Ｈ型フレーム１は既存のＨ型鋼を利用することができる。
【００１４】
前記第１部材３は金属製の帯状平板の両端を折曲げ加工することによって形成されており、Ｈ型フレーム１の上側フランジ２の上面２ａに沿ってフランジ幅方向に延びる平板部４ａと、前記上側フランジ２の幅方向の他端２ｃに嵌り込むように前記平板部４ａの後端を略コ字形状に屈曲形成した上側嵌合部４ｃと、前記上側フランジ２の一端２ｂ側において前記第３部材６と係合するように、前記平板部４ａの一端を上向きに約９０度折曲げて形成した上側突片４ｂとを備えている。
【００１５】
また、前記第２部材５は、前記第１部材４と同様、金属製の帯状平板の両端を折曲げ加工することによって形成されており、Ｈ型フレーム１の下側フランジ３の下面３ａに沿ってフランジ幅方向に延びる平板部５ａと、前記下側フランジ３の一端３ｂに嵌り込むように前記平板部５ａの一端を略コ字形状に屈曲形成した下側嵌合部５ｂと、前記下側フランジ３の一端３ｂ側において前記第３部材６と係合するように、前記下側嵌合部５ｂの先端を上向きに約９０度折曲げて形成した下側突片５ｃとを備えている。また、前記平板部５ａの他端には前記下側フランジ３の他端３ｃと接する上向きの屈曲片５ｄが設けられ、この屈曲片５ｄに設けられたスリット５ｅに後方から留めピン９を差し込むことによって、第２部材５を下側フランジ３の下面３ａに密着させることができる。なお、前記第１部材４及び第２部材５の取付け位置において、Ｈ型フレーム１の上側フランジ２の一端２ｂ及び下側フランジ３の一端３ｂには緩衝用のパッド８が貼付されている。
【００１６】
また、前記第３部材６は、前記第１部材４及び第２部材５と同様、金属製の帯状平板によって形成されており、真っ直ぐに延びる平板部６ａと、この平板部６ａの一面側に設けられて前記第１部材４の上側突片４ｂ及び第２部材５の下側突片５ｃにそれぞれ係合するよう下向きに９０度折曲げられた上下一対の鉤形の係合片６ｂ，６ｃと、前記フレームカバーパネル７の上端７ａと下端７ｂをそれぞれ嵌合保持するように、平板部６ａの上端と下端をそれぞれ略コ字形状に屈曲形成した一対の係合溝６ｄ，６ｅを備えている。係合溝６ｄ，６ｅは互いに向かい合うように形成されており、この実施形態において上側の係合溝６ｄは、下側の係合溝６ｅより溝の深さが大きい。また、平板部６ａの中央部には平板部６ａと同一幅の帯状の補強板１０が設けられている。また、この実施形態において前記平板部６ａの長さは、Ｈ型フレーム１の上側フランジ２と下側フランジ３との間の高さ寸法より長く、平板部６ａの一面側に溶接された上下一対の係合片６ｂ，６ｃを前記第１部材４及び第２部材５の上下側突片４ｂ，５ｃにそれぞれ係合させた時に、両端部が前記Ｈ型フレーム１の上側フランジ２の上方及び下側フランジ３の下方に大きく突出する。なお、この突出する長さは、第３部材６に取付けられるフレームカバーパネル７の上下の幅に対応して調整可能である。
【００１７】
また、前記フレームカバーパネル７は、例えば耐アルカリ性ガラス繊維補強セメントの薄板材等からなり、高さ方向の縦幅が前記第３部材６の上下の係合溝６ｄ，６ｅ間の寸法に対応し、横幅が適宜の長さの矩形状板材からなる。このフレームカバーパネル７は、Ｈ型フレーム１に設置した第３部材６の上下の係合溝部６ｄ，６ｅに上端７ａ及び下端７ｂをそれぞれ嵌合させることで保持され、前記Ｈ型フレーム１の一端側、例えば建物の屋外側に配設される。
【００１８】
次に、上記構成からなるフレームカバーパネル取付構造を図３乃至８に基づいて説明する。先ず図３に示したように、Ｈ型フレーム１の上側フランジ２に第１部材４を、下側フランジ３に第２部材５をそれぞれ取付ける。第１部材４は上側フランジの他端側から一端側へスライドさせ、上側嵌合部４ｃを上側フランジ２の他端２ｃに嵌め入れることで取付ける。第２部材５は下側フランジ３の一端３ｂに下側嵌合部５ｂを下側から嵌め入れると共に、図３及び図４に示したように、下側フランジ３の他端３ｃから上方に突出する屈曲片５のスリット５ｅに留めピン９を差し込むことで、平板部５ａが下側フランジ３の下面３ａに密着する。このようにして第１部材４及び第２部材５がＨ型フレーム１に取付けられ、その状態において第１部材４の上側突片４ｂ及び第２部材５の下側突片５は、各フランジの一端２ｂ，３ｂ側で各フランジ面から上方に突出した状態で同一ラインＬ上に位置している。
【００１９】
図５に示したように、前記Ｈ型フレーム１の上側フランジ２の一端２ｂ及び下側フランジ３の一端３ｂにそれぞれパッド８を貼り付けたのち、第３部材６をＨ型フレーム１の一端側に配置し、第３部材６の一面側に溶接された上下一対の係合片６ｂ，６ｃを第１部材４の上側突片４ｂ及び第２部材５の下側突片５ｃにそれぞれ上方から差し込んで係合させる。このようにして、第３部材６は図６に示したように、上下のパッド８に平板部６ａが当接した状態で第１部材４および第２部材５に取付けられる。
【００２０】
次いで、図７に示したように、第３部材６の前面側に平板状のフレームカバーパネル７を傾けた状態で配置し、フレームカバーパネル７の上端７ａを第３部材６の上側の係合溝６ｄに嵌め入れたのち、フレームカバーパネル７の下端７ｂを第３部材６の下側の係合溝６ｅに嵌め入れる。このようにして、フレームカバーパネル７の上下端７ａ，７ｂが第３部材６の上下の係合溝６ｄ，６ｅにそれぞれ保持されることで、図８に示したように、Ｈ型フレーム１の一端側に垂直のフレームカバーパネル７が配設されることになる。このフレームカバーパネル７は、図１及び図２に示したように、所定間隔ごとに配設された第３部材６に保持される。なお、この実施形態では第３部材６の上側の係合溝６ｄの深さが下側の係合溝６ｅより大きいので、先ずフレームカバーパネル７の上端７ａを先に嵌め入れ、次いで下側の係合溝６ｅにフレームカバーパネル７の下端７ｂを容易に嵌め入れることができる。
【００２１】
図９及び図１０には本発明の第２実施形態に係るフレームカバーパネル取付構造が示されている。先の実施形態とは異なって、Ｈ型フレーム１の上側フランジ２の一端２ｂ側に上側突片４ｂ’が下向きに設けられている。この上側突片４ｂ’は、上側フランジ２の下面２ｄに直接溶接されており、先の実施形態のような第１部材４を用いていない。また、第３部材６の上下一対の係合片は、前記上側突片４ｂ’と係合する上側の係合片６ｄ’が上向きに９０度折れ曲がった形状をしており、第２部材５に形成された上向きの下側突片５ｃに係合する下側の係合片６ｃが、先の実施形態と同様、下向きに９０度折れ曲がった形状をしている。なお、前記上側突片４ｂ’及び第３部材６の上側の係合片６ｂ’以外の構成については、第１実施形態とほぼ同様であるので、同一の符号を付すことによって詳細な説明は省略する。
【００２２】
前記第３部材６を取付ける際には、図９に示されるように、第３部材６の上側を少し前方に倒してＨ型フレーム１の上側フランジ２の下面２ｄ側に上側の係合片６ｂ’を差込み、先ず上側突片４ｂ’に係合片６ｂ’を下方から係合させる。次いで、第３部材６を真っ直ぐに起こして第２部材５の下側突片５ｃに下側の係合片６ｃを上方から係合させる。図１０に示されるように、第３部材６は上下の係合片６ｂ’，６ｃを上側突片４ｂ’及び下側突片５ｃにそれぞれ係合させることで、Ｈ型フレーム１の一端側に取付けられる。第３部材６の上下端には係合溝６ｄ，６ｅが設けられており、この係合溝６ｄ，６ｅにフレームカバーパネル７の上下端部７ａ，７ｂが嵌合保持される。なお、第２部材５に一端側に設けられた下側突片５ｃを、この実施形態における上側突片４ｂ’のように、Ｈ型フレーム１の下側フランジ３の上面に直接溶接してもよい。
【００２３】
図１１には上記第１実施形態に係るフレームカバーパネル取付構造を利用した基礎工事が示されている。この基礎工事では地中１１に打ち込んだ杭１２の上に上記Ｈ型フレーム１が基礎梁として配設されている。前記Ｈ型フレーム１の一端側（建物の屋外側）に、上記の取付構造によってフレームカバーパネル７を型枠パネルとして配設したのち、フレームカバーパネル７の屋内側に土間コンクリート１３を敷設し、屋外側を盛土１４で埋め戻すことによって、基礎工事が完了する。フレームカバーパネル７は土間コンクリート１３及び埋め戻された盛土１４によって固定される。
【００２４】
この基礎工事では、型枠パネルとしてのフレームカバーパネル７を従来のように解体することなくそのまま基礎部の外壁として利用することができ、その上方には水切材１５を挟んで建物の外面壁１６が連続する。一方、Ｈ型フレーム１の上側フランジ２の上面２ａには所定の位置に建物の柱１７が立てられる。
【００２５】
図１２には本発明の他の実施形態に係るフレームカバーパネル取付構造を利用した基礎工事が示されている。この取付構造は第３部材の形状が異なる以外は、第１実施形態と同様の構成からなるので、構成が同じものについては同一の符号を付すことで詳細な説明は省略する。この実施形態に係る第３部材６０は、平板部６０ａの一部に屋内側に屈曲する屈曲部６１が設けられ、この屈曲部６１の上下端に第１部材４の上側突片４ｂ及び第２部材５の下側突片５ｃにそれぞれ係合する一対の係合片６０ｂ，６０ｃが設けられている。この実施形態に係るフレームカバーパネル取付構造では型枠パネルとしてのフレームカバーパネル７をＨ型フレーム１の一端側から離した位置に設置することができるので、例えば外面壁１５の内側に断熱材を充填するための空間部１７を大きく確保することができる。
【００２６】
なお、上記いずれの実施形態においても、フレームカバーパネル７を第３部材６，６０に係合保持した場合について説明したが、本発明ではＨ型フレーム１の上側フランジ２に設けられた上側突片４ｂ，４ｂ’側及びＨ型フレーム１の下側フランジ３に設けられた下側突片５ｃ側に、又はフレームカバーパネル７側にフックなどの係合手段を設けることで、Ｈ型フレーム１に直接フレームカバーパネル７を取付けることができる。
【００２７】
また、上記の図１１及び図１２にはフレームカバーパネル７を基礎工事の型枠パネルとして利用する場合を示したが、本発明は例えばＨ型フレームが建物の外部に露出する梁として用いられるような場合、梁の一端側をカバーする化粧パネルとして使用する場合のパネル取付構造にも適用されるものである。
【符号の説明】
【００２８】
１  Ｈ型フレーム
２  上側フランジ
２ａ  上面
２ｂ  一端
２ｃ  他端
２ｄ  下面
３  下側フランジ
３ａ  下面
３ｂ  一端
３ｃ  他端
４  第１部材
４ａ  平板部
４ｂ，４ｂ’  上側突片
４ｃ  上側嵌合部
５  第２部材
５ａ  平板部
５ｂ  下側嵌合部
５ｃ  下側突片
５ｄ  屈曲片
５ｅ  スリット
６，６０  第３部材
６ａ，６０ａ  平板部
６ｂ，６ｂ’，６ｃ，６０ｂ，６０ｃ  係合片
６ｄ，６ｅ  係合溝
７  フレームカバーパネル
７ａ  上端
７ｂ  下端
８  パッド
９  留めピン
１０  補強板
１１  地中
１２  杭
１３  土間コンクリート
１４  盛土
１５  水切材
１６  外面壁
１７  柱
１８  空間部
６１  屈曲部
【図１】
0006706905.tif 000002
【図２】
0006706905.tif 000003
【図３】
0006706905.tif 000004
【図４】
0006706905.tif 000005
【図５】
0006706905.tif 000006
【図６】
0006706905.tif 000007
【図７】
0006706905.tif 000008
【図８】
0006706905.tif 000009
【図９】
0006706905.tif 000010
【図１０】
0006706905.tif 000011
【図１１】
0006706905.tif 000012
【図１２】
0006706905.tif 000013